(57)【特許請求の範囲】
【請求項１】
平均セル径が７００μｍ以上１５００μｍ以下である複数のセルと、
前記セルの内部に、径が５００μｍ以下であり、前記セル同士を連通する連通孔と、を有し、
気孔率が８５％以上９５％以下である、
アナモックス菌群保持用担体。
【請求項２】
セル径が７００μｍ以上１５００μｍ以下の前記セルの数をＬ、径が１００μｍ以上５００μｍ以下の前記連通孔の数をＭとしたとき、
Ｍ／Ｌが、０．５以上５．８以下である、
請求項１に記載のアナモックス菌群保持用担体。
【請求項３】
セル径が９００μｍ以上１１００μｍ以下の前記セルの数をＬ、径が２００μｍ以上３００μｍ以下の前記連通孔の数をＭとしたとき、
Ｍ／Ｌが、０．８以上５．０以下である、
請求項１に記載のアナモックス菌群保持用担体。
【請求項４】
材質がポリビニルアセタール系スポンジである、
請求項１から３のいずれか１項に記載のアナモックス菌群保持用担体。
【請求項５】
請求項１から４のいずれか１項に記載のアナモックス菌群保持用担体に、アナモックス菌群が付着されている、アナモックス菌群付着体。
【請求項６】
請求項５に記載のアナモックス菌群付着体が、廃水処理槽内に配置されている、
廃水処理装置。
【請求項７】
前記アナモックス菌群付着体を、前記廃水処理槽の内部で、流動床、又は、固定床として保持する、
請求項６に記載の廃水処理装置。
【発明の詳細な説明】
【技術分野】
【０００１】
本発明は、アナモックス菌群保持用担体、アナモックス菌群付着体、及び、廃水処理装置に係り、特に、アンモニア含有廃水の処理に用いられるアナモックス菌群保持用担体、アナモックス菌群付着体、及び、廃水処理装置に関する。
【背景技術】
【０００２】
廃水中に含まれるアンモニア性窒素（ＮＨ４−Ｎ）は、環境保全の観点からその除去が課題となっている。窒素処理法には、生物処理法が多く用いられている。この生物処理法は、微生物が付着した固定化担体を廃水中に投入し、廃水中に含まれる有機物や窒素を微生物が分解する方法である。生物処理法においては、硝化槽と脱窒槽の２槽式で処理されている。しかしながら、２槽式の反応では、脱窒のための水素供与体（薬品添加）が必要である、及び、硝化のために曝気量を多くしなければならない等の課題を有していた。
【０００３】
そこで、近年、新たな窒素処理法として、アナモックス菌群によるアナモックス反応を用いた窒素処理法が開発されている（下記特許文献１参照）。アナモックス反応を用いた窒素処理法であれば、薬品添加量や曝気量の削減などの多くの利点を有している。
【先行技術文献】
【特許文献】
【０００４】
【特許文献１】特開２０１７−０１８８７６号公報
【発明の概要】
【発明が解決しようとする課題】
【０００５】
しかしながら、アナモックス菌群は、分裂時間が１０日程度であり、増殖速度が極めて遅く、そのため、一日あたり単位体積あたりに発生するアンモニア性窒素量として定義される窒素除去速度１ｋｇ−Ｎ／ｍ３／ｄａｙを得るための立ち上げに６ヶ月程度を要していた。この種の装置では、ユーザーサイトでの立ち上げ期間は１ヶ月以内であることが要望されており、単にアナモックス菌群を用いただけでは、ユーザーの要望を満たすことができていなかった。
【０００６】
本発明は、このような事情に鑑みてなされたものであり、立ち上げ期間を短縮し、窒素処理の速度の向上を可能とするアナモックス菌群保持用担体、アナモックス菌群付着体、及び、廃水処理装置を提供することを目的とする。
【課題を解決するための手段】
【０００７】
本発明の目的を達成するために、本発明に係るアナモックス菌群保持用担体は、平均セル径が７００μｍ以上１５００μｍ以下である複数のセルと、セルの内部に、径が５００μｍ以下であり、セル同士を連通する連通孔と、を有し、気孔率が８５％以上９５％以下である。
【０００８】
本発明の一形態は、セル径が７００μｍ以上１５００μｍ以下のセルの数をＬ、径が１００μｍ以上５００μｍ以下の連通孔の数をＭとしとき、Ｍ／Ｌが、０．５以上５．８以下であることが好ましい。
【０００９】
本発明の一形態は、セル径が９００μｍ以上１１００μｍ以下のセルの数をＬ、径が２００μｍ以上３００μｍ以下の連通孔の数をＭとしたとき、Ｍ／Ｌが、０．８以上５．０以下であることが好ましい。
【００１０】
本発明の一形態は、材質がポリビニルアセタール系スポンジであることが好ましい。
【００１１】
本発明の目的を達成するために、本発明に係るアナモックス菌群付着体は、上記記載のアナモックス菌群保持用担体に、アナモックス菌群が付着されている。
【００１２】
本発明の廃水処理装置は、上記記載のアナモックス菌群付着体が、廃水処理槽内に配置されている。
【００１３】
本発明の一形態は、アナモックス菌群付着体を、廃水処理槽の内部で、流動床、又は、固定床として保持することが好ましい。
【発明の効果】
【００１４】
本発明によれば、立ち上げ期間を短縮し、窒素処理の速度を向上させることができる。
【図面の簡単な説明】
【００１５】
【図１】アナモックス菌群保持用担体の気孔構造を示す概略図である。
【図２】セルと連通孔の数の比に対する脱窒速度の関係を示す図である。
【図３】セルと連通孔の数の比に対する脱窒速度の関係を示す図である。
【図４】アナモックス菌群付着体を流動床式の廃水処理装置に適用した概念図である。
【図５】アナモックス菌群付着体を固定床式の廃水処理装置に適用した概念図である。
【図６】実施例１で用いた本発明の担体の電子顕微鏡写真及び気孔径分布である。
【図７】実施例１で用いた比較例の担体の電子顕微鏡写真及び気孔径分布である。
【図８】実施例２で使用した廃水処理装置の概念図である。
【図９】実施例２の運転を開始してからのＴ−Ｎ除去速度の経日変化を示す図である。
【図１０】アナモックス菌群保持用担体の表面写真、及び、アナモックス菌群付着体の表面及び断面写真である。
【発明を実施するための形態】
【００１６】
以下、添付図面にしたがって、本発明に係るアナモックス菌群保持用担体、アナモックス菌群付着体、及び、廃水処理装置について説明する。なお、本明細書において、「〜」とは、その前後に記載される数値を下限値及び上限値として含む意味で使用される。
【００１７】
［アナモックス菌群保持用担体］
まず、アナモックス菌群保持用担体（以下、単に、「担体」ともいう）について説明する。図１は、本実施形態の担体の気孔構造を示す概略図である。
【００１８】
本実施形態のアナモックス菌群保持用担体１０は、平均セル径が７００μｍ以上１５００μｍである複数のセル１２と、セル１２の内部に、径が５００μｍ以下であり、セル１２同士を連通する連通孔１４と、を有する。また、担体１０の気孔率は、８５％以上９５％以下である。
【００１９】
アナモックス菌群は、増殖速度が極めて遅く、そのため、アナモックス菌群を含む廃水処理装置の立ち上げには６ヶ月程度かかってしまう。本実施形態の担体１０によれば、アナモックス菌群を増殖させる際に、セル１２内にアナモックス菌を生息させ、連通孔１４に共存菌（他の種類の菌）を生息させることができる。アナモックス菌の増殖には、アナモックス菌の他に共存菌と共存させることが好ましく、セル１２と連通孔１４を設けることで、アナモックス菌と共存菌との棲み分けをすることができ、アナモックス菌の活性を早く発現させることができる。これにより、短期間でアナモックス菌を培養することができ、装置の立ち上げ期間を早めることができる。
【００２０】
共存菌としては、従属栄養細菌を挙げることができ、例えば、バチルス菌、アンモニア酸化細菌、亜硝酸酸化細菌、及び、ズーグレア菌等を挙げることができる。
【００２１】
また、担体１０は、セル径が７００μｍ以上１５００μｍ以下のセル１２の数をＬ１、径が１００μｍ以上５００μｍ以下の連通孔１４の数をＭ１としたとき、Ｍ１／Ｌ１が、０．５以上５．８以下であることが好ましい。図２は、Ｍ１／Ｌ１比と脱窒速度（ｋｇ−Ｎ／ｍ３／ｄａｙ）との関係を示す図である。Ｍ１／Ｌ１が０．５以上５．８以下の担体を用いて廃水処理（脱窒処理）を行うことで、脱窒速度が１.０（ｋｇ−Ｎ／ｍ３／ｄａｙ）以上である高い脱窒速度を得ることができる。さらに、Ｍ１／Ｌ１を１．４以上４．６以下とすることで、３．５（ｋｇ−Ｎ／ｍ３／ｄａｙ）以上である高い脱窒速度を得ることができるので好ましい。
【００２２】
さらに、担体１０は、セル径が９００μｍ以上１１００μｍ以下のセル１２の数をＬ２、直径が２００μｍ以上３００μｍ以下の連通孔１４の数をＭ２としたとき、Ｍ２／Ｌ２が、０．８以上５．０以下であることが好ましい。図３は、Ｍ２／Ｌ２比と脱窒速度（ｋｇ−Ｎ／ｍ３／ｄａｙ）との関係を示す図である。Ｍ２／Ｌ２が０．８以上５．０以下の担体を用いて廃水処理（脱窒処理）を行うことで、脱窒速度が２.０（ｋｇ−Ｎ／ｍ３／ｄａｙ）以上である高い脱窒速度を得ることができる。さらに、Ｍ２／Ｌ２を１．０以上３．５以下とすることで、６（ｋｇ−Ｎ／ｍ３／ｄａｙ）以上である高い脱窒速度を得ることができるので好ましい。
【００２３】
次に、セル１２のセル径ｄ１及び連通孔１４の径ｄ２を測定する方法について説明する。セル１２のセル径ｄ１及び連通孔１４の径ｄ２は、電子顕微鏡画像、例えば、ＳＥＭ（Scanning Electron Microscope）画像を用いて測定することができる。
【００２４】
連通孔１４の径ｄ２（図１参照）は、ＳＥＭ画像内のすべての連通孔１４の径ｄ２を計測する。画像の倍率は、連通孔１４の開口部１６の形状が分かるように、高めの倍率の写真を用いて行うことが好ましい。およその形状が分かる開口部１６に対して、円又は楕円に近似し、近似した円の直径又は楕円の長径を測定する。開口部１６を近似した円の直径、又は、楕円の長径が本発明の連通孔１４の径に相当する。
【００２５】
また、セル１２のセル径ｄ１（図１参照）は、計測した連通孔１４の径と同じ数となるように、セル径ｄ１を計測する。画像は、複数の画像を用いて行い、画像の倍率は、連通孔１４の径ｄ２を計測した倍率より低い倍率の写真を用いて行うことが好ましい。およその形状がわかるセル１２に対して、円又は楕円に近似し、近似した円の直径又は楕円の長径を測定する。セル１２を近似した円の直径、又は、楕円の長径が本発明のセル１２のセル径に相当する。また、測定したセル径の平均を平均セル径とする。
【００２６】
また、気孔率は、例えば、乾燥状態の担体（スポンジ）を乾式自動密度計にて真体積を測定し、スポンジの見掛け体積との差から算出することができる。
【００２７】
担体１０の材質としては、ポリビニルアセタール系スポンジ、ポリウレタン系スポンジ、及び、ポリオレフィン系スポンジを用いることができる。
【００２８】
担体１０の材質としては、中でもポリビニルアセタール系スポンジとすることが好ましい。スポンジなどの形状、大きさを持つ担体を用いることで、粉末状担体に対し、担体１０の流出を抑制することができる。また、包括固定化担体などのゲル状担体に対し、ポリビニルアセタール系スポンジを用いた担体１０は耐摩耗性が高いため、長期間に渡り処理性能を維持することができる。
【００２９】
また、ポリビニルアセタール系スポンジを用いた担体１０は、ｐＨが４以上の条件において、マイナスのゼータ電位を示す。担体１０のゼータ電位が−３５ｍＶ以上０ｍＶ以下に規制されることで、アナモックス菌群を担体１０に一層付着させ易くすることができる。
【００３０】
なお、本発明における担体１０のゼータ電位とは、以下の方法で測定した値をいう。
【００３１】
（１）水５０ｍＬに担体１ｇを粉砕し加える。
【００３２】
（２）薬匙で１分間撹拌後、超音波洗浄機（アズワン製超音波洗浄機ＡＳＵ−１０）を用いて周波数４０Ｈｚ、出力２４０Ｗで５分間撹拌する。
【００３３】
（３）撹拌後すぐに、ディップセルに（２）を１ｍＬ充填し、ゼータ電位測定装置（Ｍａｌｖｅｒｎ社製Ｚｔａｓｉｚｅｒ  Ｎａｎｏ−ＺＳ９０）を用いて波長６３３ｎｍの赤色レーザーを用いて測定を実施する。測定は３回行い、その平均値を担体のゼータ電位とする。
【００３４】
次に担体１０の製造方法の一例について説明する。以下の製造方法で製造することで、本実施形態のセル１２のセル径、及び、連通孔１４の径を満たす担体１０を製造することができる。なお、以下の説明では、材質にポリビニルアセタール系スポンジを用いた場合について説明するが、材質、製法は限定されない。
【００３５】
（１）気孔材抽出法
ポリビニルアルコール樹脂、アルデヒド類、及び、架橋反応触媒（酸等）を水に混合した混合水溶液に、気孔生材料（個体又は液体）を分散し、架橋反応させる。反応終了後、気孔生材料を除去し、多孔質体とする。
【００３６】
（２）発泡法
ポリビニルアルコール樹脂、アルデヒド類、及び、架橋反応触媒（酸等）を水に混合した混合水溶液に、発泡剤を添加し、発泡した状態で架橋反応させ、多孔質体とする。
【００３７】
（３）気泡混合法
ポリビニルアルコール樹脂、アルデヒド類、及び、架橋反応触媒（酸等）を水に混合した混合水溶液に、発泡装置又は回転装置等により気泡を巻き込ませ、その状態で架橋反応させることで、多孔質体とする。
【００３８】
［アナモックス菌群付着体］
上記の担体１０に対して、アナモックス菌群を付着させ、アナモックス菌群付着体とする。本実施形態のアナモックス菌群付着体によれば、担体１０にアナモックス菌群を容易に付着させることができるので、廃水処理装置の立ち上げを短期間で行うことができ、廃水の高速処理が可能となる。
【００３９】
担体１０にアナモックス菌群を付着させる方法としては、廃水処理装置の処理槽に、担体１０（アナモックス菌群が付着していない）及びアナモックス菌群を含む汚泥を投入し、処理槽内で、担体１０にアナモックス菌群を付着させることができる。
【００４０】
なお、担体及びアナモックス菌群付着体の形状としては以下の形状が好ましい。形状として、角形、球状、平板状、リボン状、短冊状、及び、レンコン状の形状が好ましい。流動担体として用いる場合は、球相当径２ｍｍ以上５０ｍｍ以下が好ましく、４ｍｍ以上１５ｍｍ以下がさらに好ましい。球相当径１０ｍｍ前後の担体及びアナモックス菌群付着体は、それ以外の径の担体及びアナモックス菌群付着体と比較し、活性が２〜５倍高く、１０ｍｍ前後の径とすることが最も好ましい。これは、アナモックス菌と共存菌のバランスが良いことが考えられる。また、従来報告されている微細粒子状担体と比較し、相当径１０ｍｍ前後の大きさはハンドリングが容易で、装置構造が複雑にならず、装置のイニシャルコストを安価にすることができる。
【００４１】
［廃水処理装置］
次に、本実施形態の廃水処理装置について説明する。本実施形態の廃水処理装置は、廃水処理槽内に上記のアナモックス菌群付着体が配置される。アナモックス菌群付着体は、廃水処理槽内で、流動床、又は、固定床として、保持される。以下に、流動床式の廃水処理装置、及び、固定床式の廃水処理装置の構成例を説明する。
【００４２】
図４は、アナモックス菌群付着体１１０（以下、単に、「菌群付着体」ともいう）を流動床式の廃水処理装置１００に適用した概念図である。廃水流入部１３２から廃水が流入される廃水処理槽１３４に、本実施形態の多数の菌群付着体１１０が配置される。槽内は撹拌機１３６がモーター１３８により撹拌され、菌群付着体１１０が廃水処理槽１３４内で流動し、廃水と菌群付着体１１０とが接触する。従って、廃水中の窒素が生物学的に処理される。廃水処理槽１３４で処理された処理水は担体流出防止用のスクリーン１４０を通って処理水流出部１４２から装置外に排出される。
【００４３】
図５は、菌群付着体１１０を固定床式の廃水処理装置１５０に適用した概念図である。廃水処理槽１５２内には上部スクリーン１５４と下部スクリーン１５６とが設けられる。この２つのスクリーン１５４、１５６の間に本実施形態の多数の菌群付着体１１０が密に充填され、固定床１５５が形成される。そして、廃水流入部１５７から廃水が流入し、固定床１５５を上向流で流れて処理水流出部１５９を介して装置外に排出される。
【００４４】
本実施形態の菌群付着体１１０によれば、流動床式、又は、固定床式のいずれの廃水処理装置に対しても効果的に使用することができる。
【実施例】
【００４５】
以下に実施例を挙げ、本発明をより詳細に説明する。ただし、本発明はこの実施例に限定されるものではなく、本発明の趣旨を逸脱しない限り適宜変更することができる。
【００４６】
（実施例１）［担体の活性確認］
５種類の担体を用いて、これらの担体にアナモックス菌群を付着させ、活性（窒素除去速度）を測定した。図６及び図７に、実施例１で用いた担体の電子顕微鏡写真及び気孔径分布を示す。図６（ａ）、（ｂ）が担体Ｓの電子顕微鏡写真（ａ）及び気孔径分布（ｂ）であり、図６（ｃ）、（ｄ）が担体Ｇの電子顕微鏡写真（ｃ）及び気孔径分布（ｄ）である。また、図７（ａ）、（ｂ）が担体Ｄの電子顕微鏡写真（ａ）及び気孔径分布（ｂ）であり、図７（ｃ）、（ｄ）が担体Ｅの電子顕微鏡写真（ｃ）及び気孔径分布（ｄ）であり、図７（ｅ）、（ｆ）が担体Ｅの電子顕微鏡写真（ｅ）及び気孔径分布（ｆ）である。なお、担体Ｓ及び担体Ｇが本発明の担体であり、担体Ｄ、担体Ｅ及び担体Ｆが比較例の担体である。
【００４７】
図６（ａ）、（ｂ）に示すように、本発明の担体Ｓは、１００μｍ〜１５００μｍの範囲に気孔径分布を有する。また、２００μｍ及び１０００μｍの気孔径にピークを有し、１００μｍ〜５００μｍの小さい気孔径が連通孔１４の径であり、７００μｍ〜１５００μｍの大きい気孔径がセル１２のセル径であることが確認できる。また、図６（ｃ）、（ｄ）に示すように、本発明の担体Ｇは、４００μｍ〜１４００μｍの範囲に気孔径分布を有する。また、４００μｍ及び８００μｍの気孔径にピークを有し、４００μｍ〜５００μｍの小さい気孔径が連通孔１４の径であり、７００μｍ〜１４００μｍの大きい気孔径がセルのセル径であることが確認できる。
【００４８】
また、比較例の担体Ｄの気孔径分布は３０μｍ〜１４０μｍであり（図７（ａ）、（ｂ））、担体Ｅの気孔径分布は６０μｍ〜２６０μｍであり（図７（ｃ）、（ｄ））、担体Ｅの気孔径分布は７５μｍ〜４２５μｍであり（図７（ｅ）、（ｆ））、比較的小さい気孔径のみ有する担体である。
【００４９】
これらの担体を用いて、活性を測定した結果を表１に示す。なお、活性の測定は以下の連続処理運転を行い、窒素除去速度を求めた。
【００５０】
リアクター１Ｌにそれぞれの担体（４ｍｍ角形）を１０％充填し、アナモックス汚泥を２００ｍＬ投入した。窒素ガス０．２Ｌ／ｍｉｎで撹拌し、合成廃水（Ｔ−Ｎ１２０〜４００ｍｇ／Ｌ）を滞留時間１〜６ｈで処理した。原水Ｔ−Ｎと処理水Ｔ−Ｎを分析し窒素除去速度を求めた。
【００５１】
【表１】
0006899568.tif 000002
【００５２】
表１に示すように、本発明の担体は、比較例の担体と比較し、高い窒素除去速度が得られることが確認できた。
【００５３】
（実施例２）［立ち上げ試験］
実施例１で使用した担体Ｓ（１ｃｍ角形）を用いて、廃水処理装置の立ち上げ試験を行った。使用した廃水処理装置を図８に示す。廃水処理装置３０は、廃水処理槽３２を有しており、この廃水処理槽３２は、廃水処理を行う廃水処理部３４を有している。廃水処理装置３０の立ち上げ時には、廃水処理槽３２内に担体１０が充填される。また、廃水処理槽３２は、担体分離部３６を有し、担体の流出を防止している。廃水処理槽３２は、廃水流入部３８からポンプ４０により廃水が供給される一方、処理水流出部４２から処理水が流出する構造である。また、廃水処理槽３２内のｐＨは、ｐＨコントローラー４４を用いて調整される。ｐＨの調整は、０．５Ｎ  ＨＣｌが酸性溶液流入部４６からポンプ４８により廃水処理槽３２内に供給される。廃水処理槽３２内には撹拌機５０が設けられ、撹拌機５０がモーター５２により回転することで、廃水処理槽３２内の廃水及び担体１０が撹拌される。
【００５４】
立ち上げ試験は、廃水処理槽３２内に、担体１０としてＳ担体を充填率１０％で投入し、アナモックス汚泥１００ｍＬを添加した。合成廃水Ｔ−Ｎ１２０ｍｇ／Ｌの原水を連続流入させ、運転を開始した。なお、「Ｔ−Ｎ」とは全窒素濃度のことであり、ここでは、「ＮＨ４−Ｎ」、「ＮＯ３−Ｎ」及び「ＮＯ２−Ｎ」の合計の窒素濃度のことをいう。
【００５５】
供試した合成廃水は、表２に示す無機合成廃水を任意の濃度（本実施例においては、Ｔ−Ｎ１２０〜４００ｍｇ／Ｌ）になるように水道水で希釈し、調整した。また、アナモックス菌群の生育促進のために、表３及び表４に示す２種類のトレースエレメントを合成廃水１Ｌごとに１ｍＬずつ添加した。
【００５６】
【表２】
0006899568.tif 000003
【００５７】
【表３】
0006899568.tif 000004
【００５８】
【表４】
0006899568.tif 000005
【００５９】
運転を開始してからのＴ−Ｎ除去速度の経日変化を図９に示す。また、図１０は、本実施例で用いられた担体であり、試験前のアナモックス菌群保持用担体の表面写真（ａ）、及び、アナモックス菌群が付着したアナモックス菌群付着体の表面写真（ｂ）及び断面写真（ｃ）である。
【００６０】
図９に示すように、本発明の担体を用いて廃水処理装置の立ち上げをすることで、運転開始後、１ヶ月で窒素除去速度１．４ｋｇ−Ｎ／ｍ３／ｄａｙを得ることができ、短時間での立ち上げが可能であることが確認できた。さらに、窒素除去速度が極めて優れるといわれている３．０ｋｇ−Ｎ／ｍ３／ｄａｙを３５日程度で達成していることも認められた。また、データは記載していないが、実施例１の比較例の担体（担体Ｆ）を用いて行った同様の試験では、運転を開始してから１ヶ月後の窒素除去速度は、０．１ｋｇ−Ｎ／ｍ３／ｄａｙ以下であった。本発明の担体を用いることで、立ち上げ期間を短くすることが確認できた。
【００６１】
また、このようにしてアナモックス菌群が付着した担体は、図１０に示すように、担体の表面のみでなく、担体の内部まで茶色くなっており、担体内部まで、アナモックス菌が付着していることが確認できた。
【符号の説明】
【００６２】
１０…アナモックス菌群保持用担体（担体）、１２…セル、１４…連通孔、１６…開口部、３０、１００、１５０…廃水処理装置、３２、１３４…廃水処理槽、３４…廃水処理部、３６…担体分離部、３８、１３２…廃水流入部、４０、４８…ポンプ、４２、１４２、１５９…処理水流出部、４４…ｐＨコントローラー、４６…酸性溶液流入部、５０…撹拌機、５２…モーター、１１０…アナモックス菌群付着体（菌群付着体）、１３６…撹拌機、１３８…モーター、１４０…スクリーン、１５４…上部スクリーン（スクリーン）、１５５…固定床、１５６…下部スクリーン（スクリーン）
【要約】
【課題】立ち上げ期間を短縮し、窒素処理の速度の向上を可能とするアナモックス菌群保持用担体、アナモックス菌群付着体、及び、廃水処理装置を提供する。
【解決手段】平均セル径が７００μｍ以上１５００μｍ以下である複数のセル１２と、セル１２の内部に、径が５００μｍ以下であり、セル１２同士を連通する連通孔１４と、を有し、気孔率が８５％以上９５％以下であるアナモックス菌群保持用担体１０である。また、アナモックス菌群保持用担体１０にアナモックス菌群が付着されているアナモックス菌群付着体、及び、このアナモックス菌群付着体が、廃水処理槽内に配置されている廃水処理装置である。
【選択図】図１【図１】
0006899568.tif 000006
【図２】
0006899568.tif 000007
【図３】
0006899568.tif 000008
【図４】
0006899568.tif 000009
【図５】
0006899568.tif 000010
【図６】
0006899568.tif 000011
【図７】
0006899568.tif 000012
【図８】
0006899568.tif 000013
【図９】
0006899568.tif 000014
【図１０】
0006899568.tif 000015